(57)【要約】【課題】支持具が溝から外れにくい壁面収納装置を提供する。【解決手段】壁面に取着されて取付溝を形成する溝装置とこの溝装置に取着されて物品を支持する支持具と溝装置と支持具を固定するストップ装置からなり、溝装置は壁面に当接固定される基部とこの基部の表面に上下に対向して設けられるフランジからなり、この上下のフランジ間に溝装置の長手方向に亘って適宜間隔で設けられた棒体からなり、支持具は基端に前記棒体と嵌合する鈎型溝が設けられており、ストップ装置は溝装置の棒体と分離可能且つ回動可能に係合できる係合溝が設けられ、このストップ装置の回動姿勢によりこのストップ装置の縁部が支持具の縁部に当接状態或いは離間状態となるようになされていることを特徴とするものであり、ストップ状態では支持具が溝装置から移動したり、脱落したりすることがない。【選択図】        図１
2005299239.tif 000002
【特許請求の範囲】
【請求項１】
壁面に取着されて取付溝を形成する溝装置とこの溝装置に取着されて物品を支持する支持具と溝装置と支持具を固定するストップ装置からなり、溝装置は壁面に当接固定される基部とこの基部の表面に上下に対向して設けられるフランジからなり、この上下のフランジ間に溝装置の長手方向に亘って適宜間隔で設けられた棒体からなり、支持具は基端に前記棒体と嵌合する鈎型溝が設けられており、ストップ装置は溝装置の棒体と分離可能且つ回動可能に係合できる係合溝が設けられ、このストップ装置の回動姿勢によりこのストップ装置の縁部が支持具の縁部に当接状態或いは離間状態となるようになされていることを特徴とする壁面収納装置。
【発明の詳細な説明】
【技術分野】
【０００１】
本発明は、内装壁面を構成するパネルとパネルの間に設けられた溝に棚や係止用フックが取り付けられて種々の物品を収納する壁面収納装置に関し、特に溝幅を薄くし、溝が目立たず美麗な壁面収納装置に関する。
【背景技術】
【０００２】
【特許文献１】特開２００２−２７６１２３号公報
【特許文献２】特開２００１−３０３７４２号公報  従来、特開２００２−２７６１２３号公報には、取付壁面部材の間に設けられる開口部が横長に延びる薄型形状掛留用部材は、開口部部材上下フランジの中心位置に横長一定間隔に複数の丸棒を挟み込み固定、直線的形状で壁面展開する多段な薄型形状開口部構造を特徴とする掛留用部材が提案されている。
【０００３】
又、特開２００１−３０３７４２号公報には、一端端部の下面に水平設置面を有する荷重受け部と、上記荷重受け部の一端に連設し断面四角の直柱状に形成され水平面から所定の角度を有する傾斜係止部とにて成る荷重支持具、および略垂直な壁板に固定され、上記荷重支持具の傾斜係止部が挿通可能なように、その断面の高さは上記傾斜係止部の断面より微小寸法大きく、かつ、断面の幅は上記傾斜係止部の断面より大きくなる形状に形成され、水平面から所定の傾斜角度をもつ傾斜状溝と、上記傾斜状溝の下面上端から水平方向に延在して所望距離形成され上記荷重受け部の水平設置面に当接する水平支持面とを有するとともに、上記水平支持面の上部に上記荷重支持具の水平設置面および傾斜係止部が連続して挿入可能となる所望空間を有する固定具を備え、上記傾斜係止部を上記固定具の水平支持面の上部の所望空間から抜き差し可能に直線的に挿入した後、上記荷重支持具の自重により上記傾斜係止部の上面を上記傾斜状溝の上面に、かつ、上記水平設置面を上記水平支持面にそれぞれ接触保持させて、上記荷重支持具を上記固定具に対して係止させるようにしたことを特徴とする物品支持装置が提案されている。
【発明の開示】
【発明が解決しようとする課題】
【０００４】
しかしながら上記の如き特開２００２−２７６１２３号公報に提案されている掛留用部材においては、掛留用補助部材の基板部分に設けられた鍵型溝が上下フランジ間に設けられた丸棒に掛留めて固定されるので、掛留用補助部材が手前へ引かれても抜けにくいが、横方向に力がかかると鍵型溝が丸棒から外れることがあるという問題があった。
【０００５】
又、特開２００１−３０３７４２号公報に提案されている物品支持装置においては、傾斜係止部の上面と傾斜状溝の上面との、および水平設置面と水平支持面との接触により荷重支持具を固定具に確実に係止させることができるものの、傾斜状溝の傾斜に添って引っ張られると容易に外れるという問題があった。このため荷重支持具に掛けた物品を引っ張って外そうとしたときに荷重支持具が外れやすいという問題があった。
【０００６】
そこで本発明者は従来の欠点に鑑み鋭意研究の結果、支持具が溝から外れにくい壁面収納装置を提供する。
【課題を解決するための手段】
【０００７】
本発明請求項１記載の壁面収納装置は、壁面に取着されて取付溝を形成する溝装置とこの溝装置に取着されて物品を支持する支持具と溝装置と支持具を固定するストップ装置からなり、溝装置は壁面に当接固定される基部とこの基部の表面に上下に対向して設けられるフランジからなり、この上下のフランジ間に溝装置の長手方向に亘って適宜間隔で設けられた棒体からなり、支持具は基端に前記棒体と嵌合する鈎型溝が設けられており、ストップ装置は溝装置の棒体と分離可能且つ回動可能に係合できる係合溝が設けられ、このストップ装置の回動姿勢によりこのストップ装置の縁部が支持具の縁部に当接状態或いは離間状態となるようになされていることを特徴とするものであり、ストップ状態では支持具が溝装置から移動したり、脱落したりすることがない。
【発明の効果】
【０００８】
上述の如く、本発明請求項１記載の壁面収納装置は、壁面に取着されて取付溝を形成する溝装置とこの溝装置に取着されて物品を支持する支持具と溝装置と支持具を固定するストップ装置からなり、溝装置は壁面に当接固定される基部とこの基部の表面に上下に対向して設けられるフランジからなり、この上下のフランジ間に溝装置の長手方向に亘って適宜間隔で設けられた棒体からなり、支持具は基端に前記棒体と嵌合する鈎型溝が設けられており、ストップ装置は溝装置の棒体と分離可能且つ回動可能に係合できる係合溝が設けられ、このストップ装置の回動姿勢によりこのストップ装置の縁部が支持具の縁部に当接状態或いは離間状態となるようになされていることを特徴とするものであり、ストップ状態では支持具が溝装置から移動したり、脱落したりすることがないので、支持装置の固定が容易である。
【発明を実施するための最良の形態】
【０００９】
以下、図面を参照しながら本発明に付いて説明する。
図１は本発明壁面収納装置の実施形態の一例を示す溝装置の上部フランジを透視した平面図であり、図２は側面図である。図に於いて、１は溝装置であり、上部フランジ１１と下部フランジ１２の間に適宜間隔で棒体１３が設けられている。支持具２は基端に前記棒体１３の間隔に合わせて鈎型溝２１が設けられている。鈎型溝２１は、その開口部が傾斜面となされ、棒体１３と係合するときに棒体１３が導入しやすくなっている。図に於いて、支持具２の右縁部の棒体１３にはストップ装置３が挿入され、支持具２が右方向に移動するのを防いでいる。
【００１０】
図３、図４は本発明壁面収納装置におけるストップ装置３の作用を説明する説明図である。
図３はストップ装置３を溝装置１の棒体１３に取り付けた状態を示し、図４はストップ装置３を時計回りに９０度回転させた状態を示している。ストップ装置３が棒体１３に取り付けられた状態では、支持具２の縁部とストップ装置３の側縁は距離をおいており、ストップ装置３が時計回りに９０度回転されたときは、支持具２の縁部とストップ装置３の側縁の間には隙間が無く、支持具２の基端は棒体１３とストップ装置３に挟まれて、左右に動くことがない。
【００１１】
本発明における溝装置１は、アルミ合金型材で作製されれば、強度面で優れ、耐久性にも優れるので好適であるが、これに限るものではなく、合成樹脂の型材から作製されてもよいし、鋼板などの金属板を折曲して作製されてもよい。又棒体１３は、上部フランジ１１と下部フランジ１２を貫通して円柱状の金属などが取り付けられる。
【００１２】
本発明に於ける支持具２は、基端に溝装置１の棒体１３に嵌合冴える鈎型溝２１が形成された棚やフックなど物品を支持するための適宜形状の本体２３が設けられればよいし、本体２３と鈎型溝２１が形成された基部は必ずしも一体に作製される必要はなく、別体に作製された基部２２と本体２３をねじやリベットなどで固着して作製されてもよい。支持具２は支持する物品の重量、大きさ、形状に合わせて適宜形態の形態のものが作製されればよい。
【００１３】
本発明に於けるストップ装置３は、前記溝装置１の棒体１３と係合する係合溝３１が設けられている。ストップ装置３は、金属板や合成樹脂板を適宜形状に打ち抜いて作製されてもよいし、合成樹脂を成型して作製されてもよく、適宜材質が選定されればよい。
【図面の簡単な説明】
【００１４】
【図１】本発明壁面収納装置の実施形態の一例を示す溝装置の上部フランジを透視した平面図である。
【図２】本発明壁面収納装置の実施形態の一例を示す溝装置の側面図である。
【図３】本発明壁面収納装置におけるストップ装置の作用を説明する説明図である。
【図４】本発明壁面収納装置におけるストップ装置の作用を説明する説明図である。
【符号の説明】
【００１５】
１    溝装置
１１  上部フランジ
１２  下部フランジ
１３  棒体
２    支持具
２１  鈎型溝
２２  基部
２３  本体
３    ストップ装置
３１  係合溝
【図１】
2005299239.tif 000003
【図２】
2005299239.tif 000004
【図３】
2005299239.tif 000005
【図４】
2005299239.tif 000006